(57)【要約】  効率的にカラーパッチが配置された色選択用カラーチャートを提供する。  順に配置された第一カラーパッチ、第二カラーパッチ、及び、第三カラーパッチを含む複数のカラーパッチが形成され、次の条件（ａ），（ｂ）の少なくとも一方を満たす色選択用カラーチャート。（ａ）ＣＩＥ Ｌ*ａ*ｂ*表色系の明度よりも知覚的に均等な第一尺度における前記第一カラーパッチと前記第二カラーパッチの明度差の絶対値と、前記第一尺度における前記第二カラーパッチと前記第三カラーパッチの明度差の絶対値と、が等しい。（ｂ）ＣＩＥ Ｌ*ａ*ｂ*表色系の彩度よりも知覚的に均等な第二尺度における前記第一カラーパッチと前記第二カラーパッチの彩度差の絶対値と、前記第二尺度における前記第二カラーパッチと前記第三カラーパッチの彩度差の絶対値と、が等しい。
2017150163.tif 000002
【特許請求の範囲】
【請求項１】
複数のカラーパッチの中から指定色に最も近い色のカラーパッチを選択するための色選択用カラーチャートであって、
該色選択用カラーチャートには、順に配置された第一カラーパッチ、第二カラーパッチ、及び、第三カラーパッチを含む前記複数のカラーパッチが形成され、
下記の条件（ａ），（ｂ）の少なくとも一方を満たす色選択用カラーチャート。
（ａ）ＣＩＥ（国際照明委員会）Ｌ*ａ*ｂ*表色系の明度よりも知覚的に均等な第一尺度における前記第一カラーパッチと前記第二カラーパッチの明度差の絶対値と、前記第一尺度における前記第二カラーパッチと前記第三カラーパッチの明度差の絶対値と、が等しい。
（ｂ）ＣＩＥ Ｌ*ａ*ｂ*表色系の彩度よりも知覚的に均等な第二尺度における前記第一カラーパッチと前記第二カラーパッチの彩度差の絶対値と、前記第二尺度における前記第二カラーパッチと前記第三カラーパッチの彩度差の絶対値と、が等しい。
【請求項２】
複数のカラーパッチの中から指定色に最も近い色のカラーパッチを選択するための色選択用カラーチャートであって、
該色選択用カラーチャートには、順に配置された第一カラーパッチ、第二カラーパッチ、及び、第三カラーパッチを含む前記複数のカラーパッチが形成され、
ＣＩＥ（国際照明委員会）Ｌ*ａ*ｂ*表色系において、
前記第一カラーパッチの明度よりも前記第二カラーパッチの明度が高く、
前記第二カラーパッチの明度よりも前記第三カラーパッチの明度が高く、
前記第一カラーパッチと前記第二カラーパッチの明度差の絶対値が前記第二カラーパッチと前記第三カラーパッチの明度差の絶対値よりも大きい、色選択用カラーチャート。
【請求項３】
前記複数のカラーパッチは、順に配置された第四カラーパッチ、第五カラーパッチ、及び、第六カラーパッチを含み、
ＣＩＥ Ｌ*ａ*ｂ*表色系において、
前記第三カラーパッチの明度よりも前記第四カラーパッチの明度が高く、
前記第四カラーパッチの明度よりも前記第五カラーパッチの明度が高く、
前記第五カラーパッチの明度よりも前記第六カラーパッチの明度が高く、
前記第四カラーパッチと前記第五カラーパッチの明度差の絶対値が前記第五カラーパッチと前記第六カラーパッチの明度差の絶対値よりも小さい、請求項２に記載の色選択用カラーチャート。
【請求項４】
複数のカラーパッチの中から指定色に最も近い色のカラーパッチを選択するための色選択用カラーチャートであって、
該色選択用カラーチャートには、順に配置された第七カラーパッチ、第八カラーパッチ、及び、第九カラーパッチを含む前記複数のカラーパッチが形成され、
ＣＩＥ（国際照明委員会）Ｌ*ａ*ｂ*表色系において、
前記第七カラーパッチの彩度よりも前記第八カラーパッチの彩度が高く、
前記第八カラーパッチの彩度よりも前記第九カラーパッチの彩度が高く、
前記第七カラーパッチと前記第八カラーパッチの彩度差の絶対値が前記第八カラーパッチと前記第九カラーパッチの彩度差の絶対値よりも小さい、色選択用カラーチャート。
【請求項５】
複数のカラーパッチの中から指定色に最も近い色のカラーパッチを選択するための色選択用カラーチャートを生成する色選択用カラーチャート生成方法であって、
前記複数のカラーパッチは、順に配置された第一カラーパッチ、第二カラーパッチ、及び、第三カラーパッチを含み、
下記の条件（ａ），（ｂ）の少なくとも一方を満たすように色選択用カラーチャートを生成する色選択用カラーチャート生成方法。
（ａ）ＣＩＥ（国際照明委員会）Ｌ*ａ*ｂ*表色系の明度よりも知覚的に均等な第一尺度における前記第一カラーパッチと前記第二カラーパッチの明度差の絶対値と、前記第一尺度における前記第二カラーパッチと前記第三カラーパッチの明度差の絶対値と、が等しい。
（ｂ）ＣＩＥ Ｌ*ａ*ｂ*表色系の彩度よりも知覚的に均等な第二尺度における前記第一カラーパッチと前記第二カラーパッチの彩度差の絶対値と、前記第二尺度における前記第二カラーパッチと前記第三カラーパッチの彩度差の絶対値と、が等しい。
【請求項６】
前記第一尺度の明度は、ＣＩＥ Ｌ*ａ*ｂ*表色系よりも知覚的に均等な色空間の明度であり、
前記第二尺度の彩度は、ＣＩＥ Ｌ*ａ*ｂ*表色系よりも知覚的に均等な色空間の彩度である、請求項５に記載の色選択用カラーチャート生成方法。
【請求項７】
前記第一尺度における明度差の絶対値の入力を受け付け、前記第一尺度における前記第一カラーパッチと前記第二カラーパッチの明度差の絶対値、及び、前記第一尺度における前記第二カラーパッチと前記第三カラーパッチの明度差の絶対値が前記受け付けた明度差の絶対値となるように前記複数のカラーパッチを形成する、請求項５又は請求項６に記載の色選択用カラーチャート生成方法。
【請求項８】
前記第二尺度における彩度差の絶対値の入力を受け付け、前記第二尺度における前記第一カラーパッチと前記第二カラーパッチの彩度差の絶対値、及び、前記第二尺度における前記第二カラーパッチと前記第三カラーパッチの彩度差の絶対値が前記受け付けた彩度差の絶対値となるように前記複数のカラーパッチを形成する、請求項５〜請求項７のいずれか一項に記載の色選択用カラーチャート生成方法。
【請求項９】
上記条件（ａ），（ｂ）の少なくとも一方を満たすように色選択用カラーチャートを生成することにより、上記条件（ａ）を満たす場合に下記の条件（ｃ）を満たし上記条件（ｂ）を満たす場合に下記の条件（ｄ）を満たすように色選択用カラーチャートを生成する場合と比べて目標色のカラーパッチを見つけるまでの色選択用カラーチャートの生成回数と生成枚数の少なくとも一方を減らすことを特徴とする、請求項５〜請求項８のいずれか一項に記載の色選択用カラーチャート生成方法。
（ｃ）ＣＩＥ Ｌ*ａ*ｂ*表色系における前記第一カラーパッチと前記第二カラーパッチの明度差の絶対値と、ＣＩＥ Ｌ*ａ*ｂ*表色系における前記第二カラーパッチと前記第三カラーパッチの明度差の絶対値と、が等しい。
（ｄ）ＣＩＥ Ｌ*ａ*ｂ*表色系における前記第一カラーパッチと前記第二カラーパッチの彩度差の絶対値と、ＣＩＥ Ｌ*ａ*ｂ*表色系における前記第二カラーパッチと前記第三カラーパッチの彩度差の絶対値と、が等しい。
【請求項１０】
複数のカラーパッチの中から指定色に最も近い色のカラーパッチを選択するための色選択用カラーチャートを生成する機能をコンピューターに実現させる色選択用カラーチャート生成プログラムであって、
前記複数のカラーパッチは、順に配置された第一カラーパッチ、第二カラーパッチ、及び、第三カラーパッチを含み、
下記の条件（ａ），（ｂ）の少なくとも一方を満たすように色選択用カラーチャートを生成する機能を実現させる色選択用カラーチャート生成プログラム。
（ａ）ＣＩＥ（国際照明委員会）Ｌ*ａ*ｂ*表色系の明度よりも知覚的に均等な第一尺度における前記第一カラーパッチと前記第二カラーパッチの明度差の絶対値と、前記第一尺度における前記第二カラーパッチと前記第三カラーパッチの明度差の絶対値と、が等しい。
（ｂ）ＣＩＥ Ｌ*ａ*ｂ*表色系の彩度よりも知覚的に均等な第二尺度における前記第一カラーパッチと前記第二カラーパッチの彩度差の絶対値と、前記第二尺度における前記第二カラーパッチと前記第三カラーパッチの彩度差の絶対値と、が等しい。
【発明の詳細な説明】
【技術分野】
【０００１】
本発明は、色選択用カラーチャート、色選択用カラーチャート生成方法、及び、色選択用カラーチャート生成プログラムに関する。
【背景技術】
【０００２】
複数のカラーパッチが形成された色選択用カラーチャートは、様々なカラーマッチングのために使用されている。このようなカラーチャートには、例えば、中心となる色から色を徐々に変化させた複数のカラーパッチが配置される。特許文献１に開示された色選択方法は、カラーチャートにおける色比較条件を指定し、指定された前記色比較条件の異なる変数にそれぞれ対応する色のカラーパッチが互いに隣接するように設けられた第１〜第３のカラーチャートを印刷するための画像データを生成している。
【先行技術文献】
【特許文献】
【０００３】
【特許文献１】特開２０１１−７７９３７号公報
【発明の概要】
【発明が解決しようとする課題】
【０００４】
色選択用カラーチャートを生成する際、カラーパッチの数、カラーパッチ間の色差、及び、全カラーパッチがカバーする色の領域の大きさを決める必要がある。例えば、目的の色を簡単に見つけることができるようにカラーパッチ数を減らすためには、カラーパッチ間の色差を大きくするか、全カラーパッチの色のカバー領域を狭くするかしなければならない。しかし、カラーパッチ間の色差を大きくすると、目標の色がカラーパッチ間の色である場合には近い色を見つけるのが難しくなる。また、全カラーパッチの色のカバー領域を狭くすると、目標の色がその領域内に入らなくなる場合には近い色を見つけるのが困難になる。このように、カラーパッチ数、カラーパッチ間の色差、及び、カバー領域の大きさには、トレードオフの関係がある。
また、プリンターで使用されるＣ（シアン）、Ｍ（マゼンタ）、Ｙ（イエロー）、及び、Ｋ（ブラック）の色材（例えばインク）の使用量を変化させることにより複数のカラーパッチを形成する場合、色のカバー領域が４次元となるため、カラーパッチ数が非常に多くなる。【０００５】
以上を鑑み、本発明の目的の一つは、効率的にカラーパッチが配置された色選択用カラーチャート、その生成方法、及び、その生成プログラムを提供することにある。
【課題を解決するための手段】
【０００６】
上記目的の一つを達成するため、本発明は、複数のカラーパッチの中から指定色に最も近い色のカラーパッチを選択するための色選択用カラーチャートであって、
該色選択用カラーチャートには、順に配置された第一カラーパッチ、第二カラーパッチ、及び、第三カラーパッチを含む前記複数のカラーパッチが形成され、
下記の条件（ａ），（ｂ）の少なくとも一方を満たす、態様を有する。
（ａ）ＣＩＥ（国際照明委員会）Ｌ*ａ*ｂ*表色系の明度よりも知覚的に均等な第一尺度における前記第一カラーパッチと前記第二カラーパッチの明度差の絶対値と、前記第一尺度における前記第二カラーパッチと前記第三カラーパッチの明度差の絶対値と、が等しい。（ｂ）ＣＩＥ Ｌ*ａ*ｂ*表色系の彩度よりも知覚的に均等な第二尺度における前記第一カラーパッチと前記第二カラーパッチの彩度差の絶対値と、前記第二尺度における前記第二カラーパッチと前記第三カラーパッチの彩度差の絶対値と、が等しい。【０００７】
また、本発明は、複数のカラーパッチの中から指定色に最も近い色のカラーパッチを選択するための色選択用カラーチャートであって、
該色選択用カラーチャートには、順に配置された第一カラーパッチ、第二カラーパッチ、及び、第三カラーパッチを含む前記複数のカラーパッチが形成され、
ＣＩＥ（国際照明委員会）Ｌ*ａ*ｂ*表色系において、
前記第一カラーパッチの明度よりも前記第二カラーパッチの明度が高く、
前記第二カラーパッチの明度よりも前記第三カラーパッチの明度が高く、
前記第一カラーパッチと前記第二カラーパッチの明度差の絶対値が前記第二カラーパッチと前記第三カラーパッチの明度差の絶対値よりも大きい、態様を有する。【０００８】
さらに、本発明は、複数のカラーパッチの中から指定色に最も近い色のカラーパッチを選択するための色選択用カラーチャートであって、
該色選択用カラーチャートには、順に配置された第七カラーパッチ、第八カラーパッチ、及び、第九カラーパッチを含む前記複数のカラーパッチが形成され、
ＣＩＥ（国際照明委員会）Ｌ*ａ*ｂ*表色系において、
前記第七カラーパッチの彩度よりも前記第八カラーパッチの彩度が高く、
前記第八カラーパッチの彩度よりも前記第九カラーパッチの彩度が高く、
前記第七カラーパッチと前記第八カラーパッチの彩度差の絶対値が前記第八カラーパッチと前記第九カラーパッチの彩度差の絶対値よりも小さい、態様を有する。【０００９】
さらに、本発明は、複数のカラーパッチの中から指定色に最も近い色のカラーパッチを選択するための色選択用カラーチャートを生成する色選択用カラーチャート生成方法であって、
前記複数のカラーパッチは、順に配置された第一カラーパッチ、第二カラーパッチ、及び、第三カラーパッチを含み、
上記の条件（ａ），（ｂ）の少なくとも一方を満たすように色選択用カラーチャートを生成する、態様を有する。【００１０】
さらに、本発明は、複数のカラーパッチの中から指定色に最も近い色のカラーパッチを選択するための色選択用カラーチャートを生成する機能をコンピューターに実現させる色選択用カラーチャート生成プログラムであって、
前記複数のカラーパッチは、順に配置された第一カラーパッチ、第二カラーパッチ、及び、第三カラーパッチを含み、
上記の条件（ａ），（ｂ）の少なくとも一方を満たすように色選択用カラーチャートを生成する機能を実現させる、態様を有する。【００１１】
上述した態様は、カラーパッチ数又はカラーチャート面積が限られる中で効率的にカラーパッチが配置された色選択用カラーチャート、その生成方法、及び、その生成プログラムを提供することができる。
【図面の簡単な説明】
【００１２】
【図１】ＣＩＥ Ｌ*ａ*ｂ*表色系よりも知覚的に色差が均等となるように並べた複数のカラーパッチを有する色選択用カラーチャートの印刷物の例を模式的に示す図。
【図２】図２Ａは低明度側の領域において知覚的に明度間隔が均等となるように複数のカラーパッチを並べた印刷物の要部の例を模式的に示す図、図２Ｂは高明度側の領域において知覚的に明度間隔が均等となるように複数のカラーパッチを並べた印刷物の要部の例を模式的に示す図。
【図３】知覚的に彩度間隔が均等となるように複数のカラーパッチを並べた印刷物の要部の例を模式的に示す図。
【図４】図４ＡはL’−SL曲線を示すグラフ、図４ＢはC’−SC曲線を示すグラフ。
【図５】図５ＡはＬ*−Ｌ00曲線を示すグラフ、図５ＢはＣ*−Ｃ00曲線を示すグラフ。
【図６】各カラーパッチのＣＩＥ Ｌ*ａ*ｂ*表色系の座標Ｃ*，Ｌ*の例、及び、各カラーパッチの改良均等色空間の座標Ｃ00，Ｌ00の例を模式的に示す図。
【図７】図７ＡはＣＩＥ Ｌ*ａ*ｂ*色空間において明度Ｌ*に対する知覚的に均等な明度差ΔＬの関係を模式的に示す図、図７ＢはＣＩＥ Ｌ*ａ*ｂ*色空間において彩度Ｃ*に対する知覚的に均等な彩度差ΔＣの関係を模式的に示す図。
【図８】色調整装置の構成例を模式的に示すブロック図。
【図９】色調整処理の例を示すフローチャート。
【図１０】色選択用カラーチャートの印刷物の比較例を模式的に示す図。
【図１１】各カラーパッチのＣＩＥ Ｌ*ａ*ｂ*表色系の座標Ｃ*，Ｌ*の比較例、及び、各カラーパッチの改良均等色空間の座標Ｃ00，Ｌ00の比較例を模式的に示す図。
【発明を実施するための形態】
【００１３】
以下、本発明の実施形態を説明する。むろん、以下の実施形態は本発明を例示するものに過ぎず、実施形態に示す特徴の全てが発明の解決手段に必須になるとは限らない。
【００１４】
（１）本技術の概要：
まず、図１〜１１に示される例を参照して本発明に含まれる技術の概要を説明する。尚、図１〜１１は模式的に例を示す図であり、これらの図に示される各方向の拡大率は異なることがあり、各図は整合していないことがある。
【００１５】
［態様１］
図１〜３，６に例示するように、複数のカラーパッチＰＡ１の中から指定色に最も近い色のカラーパッチを選択するための色選択用カラーチャートＣＨ１には、順に配置された第一カラーパッチＰ１、第二カラーパッチＰ２、及び、第三カラーパッチＰ３を含む前記複数のカラーパッチＰＡ１が形成されている。前記色選択用カラーチャートＣＨ１は、下記の条件（ａ），（ｂ）の少なくとも一方を満たす。
（ａ）ＣＩＥ Ｌ*ａ*ｂ*表色系の明度よりも知覚的に均等な第一尺度（例えばＣＩＥＤＥ２０００色差式に基づく明度）における前記第一カラーパッチＰ１と前記第二カラーパッチＰ２の明度差の絶対値（例えばΔＬ00１）と、前記第一尺度における前記第二カラーパッチＰ２と前記第三カラーパッチＰ３の明度差の絶対値（例えばΔＬ00１）と、が等しい。
（ｂ）ＣＩＥ Ｌ*ａ*ｂ*表色系の彩度よりも知覚的に均等な第二尺度（例えばＣＩＥＤＥ２０００色差式に基づく彩度）における前記第一カラーパッチＰ１と前記第二カラーパッチＰ２の彩度差の絶対値（例えばΔＣ00１）と、前記第二尺度における前記第二カラーパッチＰ２と前記第三カラーパッチＰ３の彩度差の絶対値（例えばΔＣ00１）と、が等しい。
【００１６】
上述したように、ＣＭＹＫ（Ｃ、Ｍ、Ｙ、及び、Ｋ）の色材の使用量を変化させることにより複数のカラーパッチＰＡ１を形成する場合、色のカバー領域が４次元となるため、カラーパッチ数が非常に多くなる。これを改善するため、国際照明委員会が１９７６年に制定したＣＩＥ Ｌ*ａ*ｂ*表色系の３次元色空間において均等間隔にカラーパッチを配することが考えられる。以下、ＣＩＥ Ｌ*ａ*ｂ*を単にＬａｂとも記載する。ただ、Ｌａｂ表色系は、制定後の研究により、均等性の不完全が指摘されてきた。
【００１７】
図１０は、比較例においてＬａｂ表色系の色差ΔＥが均等となるように並べた複数のカラーパッチＰＡ９を有する色選択用カラーチャートＣＨ９の印刷物ＰＴ９を模式的に示している。色選択用カラーチャートＣＨ９は、縦横に並んだカラーパッチＰＡ９を有し、被印刷物（print substrate）Ｍ９に形成されている。ここで、図１０に示す各パッチＰＡ９には、便宜上、識別番号１１〜７７を付している。複数のカラーパッチＰＡ９の中から指定色に最も近い色のカラーパッチを選択するための色選択用カラーチャートＣＨ９には、中心（識別番号４４）のパッチＰＡ９ａの色から色を徐々に変化させた複数のパッチＰＡ９が配置されている。図１０に示す例では、下から上に向かってＬａｂ表色系の明度Ｌ*が明度差ΔＬ９（ΔＬ９＞０）ずつ増えるようにパッチＰＡ９が並べられ、左から右に向かってＬａｂ表色系の彩度Ｃ*が彩度差ΔＣ９（ΔＣ９＝ΔＬ９）ずつ増えるようにパッチＰＡ９が並べられている。すなわち、縦方向においてパッチＰＡ９は明度差ΔＬ９の間隔で配置され、横方向においてパッチＰＡ９は彩度差ΔＣ９の間隔で配置されている。ここで、彩度Ｃ*は、Ｌａｂ表色系のａ*−ｂ*色座標平面において原点（０，０）からの距離｛（ａ*）2＋（ｂ*）2｝1/2を表す。彩度差ΔＣ９は、色座標ｂ*が変わらない場合の色座標ａ*の差、色座標ａ*が変わらない場合の色座標ｂ*の差、等を含む。
【００１８】
図１１の上側に例示するようにパッチ間の色差をＬａｂ表色系に基づく色差ΔＬ９，ΔＣ９に固定する場合、図１１の下側に示すように知覚されるパッチ間の色差が一定にならないことになる。尚、図１１の上側は各カラーパッチＰＡ９のＬａｂ表色系の座標Ｃ*，Ｌ*の例を模式的に示し、図１１の下側は各カラーパッチＰＡ９の改良均等色空間の座標Ｃ00，Ｌ00の例を模式的に示している。
例えば、人の知覚する色差としては、低彩度で人の知覚する色差よりも高彩度で人の知覚する色差の方が小さくなり、明度Ｌ*＝５０付近で人の知覚する色差よりも暗部や明部で人の知覚する色差の方が小さくなる。このことから、色の領域によっては、パッチ間の色の違いが比較的小さく知覚され、目的の色と最も近い色を見つけるのに時間がかかってしまう。また、カラーチャートに示されるパッチの数が限られている場合、全パッチで提示することができる色のカバー領域が小さくなってしまう。
【００１９】
一方、本技術の上記態様１では、図１〜３，６に例示するように、カラーパッチ間でＬａｂ表色系よりも知覚的に均等な尺度における色差の絶対値が等しくなるように複数のカラーパッチＰＡ１が形成されている。図１に示す例では、縦方向において改良均等色空間における明度差ΔＬ00１（ΔＬ00１＞０）の間隔となり、横方向において改良均等色空間における彩度差ΔＣ00１（ΔＣ00１＞０）の間隔となるように、各カラーパッチＰＡ１が配置されている。図２Ａには、上記条件（ａ）を満たす例が示されている。図２Ａに示す例では、縦方向において明度差ΔＬ00１の間隔となるように、各パッチＰＡ１が配置されている。この例では、Ｌａｂ表色系の明度Ｌ*よりも知覚的に均等な第一尺度における第一カラーパッチＰ１と第二カラーパッチＰ２の明度差の絶対値がΔＬ00１であり、前記第一尺度における第二カラーパッチＰ２と第三カラーパッチＰ３の明度差の絶対値もΔＬ00１である。図３には、上記条件（ｂ）を満たす例が示されている。尚、条件（ｂ）に当てはまる第一カラーパッチＰ１、第二カラーパッチＰ２、及び、第三カラーパッチＰ３の符号は、図３の括弧内に付している。図３に示す例では、横方向において彩度差ΔＣ00１の間隔となるように、各パッチＰＡ１が配置されている。この例では、Ｌａｂ表色系の彩度Ｃ*よりも知覚的に均等な第二尺度における第一カラーパッチＰ１と第二カラーパッチＰ２の彩度差の絶対値がΔＣ00１であり、前記第二尺度における第二カラーパッチＰ２と第三カラーパッチＰ３の彩度差の絶対値もΔＣ00１である。
【００２０】
以上より、図６の下側に例示するように知覚されるカラーパッチ間の色差が略一定となるので、目的の色と最も近い色を見つける時間が短くなる。また、カラーチャートＣＨ１に示されるカラーパッチの数が限られていても、Ｌａｂ色空間においてカラーパッチ間の色の違いが比較的小さく知覚される領域で知覚的な色差が小さくならないので、本態様は、全カラーパッチで提示することができる色のカバー領域を大きくすることができる。従って、本態様は、カラーパッチ数又はカラーチャート面積が限られる中で効率的にカラーパッチが配置された色選択用カラーチャートを提供することができる。尚、試験を行ったところ、生成する色選択用カラーチャートの枚数と回数がＬａｂ表色系に基づく場合と比べて約半分となり、省資源化を図ることができた。また、ユーザーの目標とする色の選択工数（時間）がＬａｂ表色系に基づく場合と比べて少なくなり、効率化を図ることができた。
【００２１】
ここで、第一尺度は、改良均等色空間に基づく明度が好ましい。改良均等色空間は、"Colour Measurement Committee of the Society of Dyers and Colourists (CIE)"が定めた色差式ＣＩＥＤＥ２０００、ＣＭＣ、ＣＩＥＤＥ９４、等に基づく均等色空間を含む。第一尺度は、ＣＩＥが定めたＣＩＥ Ｌ*ａ*ｂ*色空間の明度を基にして、色差式ＣＩＥＤＥ２０００、ＣＭＣ、ＣＩＥＤＥ９４、等の明度に対する補正を施した改良明度値とすることができる。第二尺度は、改良均等色空間に基づく彩度が好ましい。第二尺度は、ＣＩＥ Ｌ*ａ*ｂ*色空間の明度を基にして、色差式ＣＩＥＤＥ２０００、ＣＭＣ、ＣＩＥＤＥ９４、等の明度に対する補正を施した改良彩度値とすることができる。色差式は、いずれも、人の感覚と近くなるように設計されている。
色選択用カラーチャートは、被印刷物（print substrate）等といった媒体に形成されてもよいし、表示装置に表示されてもよい。
尚、上記態様１における第一カラーパッチ、第二カラーパッチ、及び、第三カラーパッチは、複数のカラーパッチから配置の向きとは関係無く選ばれる三つのカラーパッチであればよい。従って、図３の括弧内に示すように、カラーパッチＰ７を本態様１の第一カラーパッチＰ１に当てはめ、カラーパッチＰ８を本態様１の第二カラーパッチＰ２に当てはめ、カラーパッチＰ９を本態様１の第三カラーパッチＰ３に当てはめることも可能である。
【００２２】
［態様２］
図２Ａに例示される色選択用カラーチャートＣＨ１は、ＣＩＥ Ｌ*ａ*ｂ*表色系において、
前記第一カラーパッチＰ１の明度ＬＰ１よりも前記第二カラーパッチＰ２の明度ＬＰ２が高く、
前記第二カラーパッチＰ２の明度ＬＰ２よりも前記第三カラーパッチＰ３の明度ＬＰ３が高く、
前記第一カラーパッチＰ１と前記第二カラーパッチＰ２の明度差の絶対値が前記第二カラーパッチＰ２と前記第三カラーパッチＰ３の明度差の絶対値よりも大きい。
【００２３】
図２Ａに示す例では、Ｌａｂ表色系における第一カラーパッチＰ１と第二カラーパッチＰ２の明度差の絶対値がΔＬ２１（ΔＬ２１＞０）であり、Ｌａｂ表色系における第二カラーパッチＰ２と第三カラーパッチＰ３の明度差の絶対値がΔＬ３２（ΔＬ３２＞０）であり、ΔＬ２１＞ΔＬ３２である。これにより、カラーパッチ間の明度差をＬａｂ表色系の明度Ｌ*よりも知覚的に均等にすることが可能となる。知覚されるカラーパッチ間の明度差が略一定になると、目的の明度と最も近い明度のカラーパッチを見つける時間が短くなる。また、カラーチャートＣＨ１に示されるカラーパッチの数が限られていても、Ｌａｂ色空間においてカラーパッチ間の明度の違いが比較的小さく知覚される領域で知覚的な明度差が小さくならないので、本態様は、全カラーパッチで提示することができる明度のカバー領域を大きくすることができる。従って、本態様は、カラーパッチ数又はカラーチャート面積が限られる中で効率的にカラーパッチが配置された色選択用カラーチャートを提供することができる。
【００２４】
［態様３］
図２Ｂに例示するように、前記複数のカラーパッチＰＡ１は、順に配置された第四カラーパッチＰ４、第五カラーパッチＰ５、及び、第六カラーパッチＰ６を含んでもよい。
色選択用カラーチャートＣＨ１は、ＣＩＥ Ｌ*ａ*ｂ*表色系において、
前記第三カラーパッチＰ３の明度ＬＰ３よりも前記第四カラーパッチＰ４の明度ＬＰ４が高く、
前記第四カラーパッチＰ４の明度ＬＰ４よりも前記第五カラーパッチＰ５の明度ＬＰ５が高く、
前記第五カラーパッチＰ５の明度ＬＰ５よりも前記第六カラーパッチＰ６の明度ＬＰ６が高く、
前記第四カラーパッチＰ４と前記第五カラーパッチＰ５の明度差の絶対値が前記第五カラーパッチＰ５と前記第六カラーパッチＰ６の明度差の絶対値よりも小さくてもよい。
【００２５】
図２Ｂに示す例では、Ｌａｂ表色系における第四カラーパッチＰ４と第五カラーパッチＰ５の明度差の絶対値がΔＬ５４（ΔＬ５４＞０）であり、Ｌａｂ表色系における第五カラーパッチＰ５と第六カラーパッチＰ６の明度差の絶対値がΔＬ６５（ΔＬ６５＞０）であり、ΔＬ５４＜ΔＬ６５である。これにより、高明度側の領域において、カラーパッチ間の明度差をＬａｂ表色系の明度Ｌ*よりも知覚的に均等にすることが可能となる。知覚されるカラーパッチ間の明度差が略一定になると、目的の明度と最も近い明度のカラーパッチを見つける時間が短くなる。また、カラーチャートＣＨ１に示されるカラーパッチの数が限られていても、Ｌａｂ色空間においてカラーパッチ間の明度の違いが比較的小さく知覚される領域で知覚的な明度差が小さくならないので、本態様は、全カラーパッチで提示することができる明度のカバー領域を大きくすることができる。従って、本態様は、カラーパッチ数又はカラーチャート面積が限られる中でさらに効率的にカラーパッチが配置された色選択用カラーチャートを提供することができる。
【００２６】
［態様４］
図３に例示するように、複数のカラーパッチＰＡ１の中から指定色に最も近い色のカラーパッチを選択するための色選択用カラーチャートＣＨ１には、順に配置された第七カラーパッチＰ７、第八カラーパッチＰ８、及び、第九カラーパッチＰ９を含む前記複数のカラーパッチＰＡ１が形成されている。
図３に例示される色選択用カラーチャートＣＨ１は、ＣＩＥ Ｌ*ａ*ｂ*表色系において、
前記第七カラーパッチＰ７の彩度ＣＰ７よりも前記第八カラーパッチＰ８の彩度ＣＰ８が高く、
前記第八カラーパッチＰ８の彩度ＣＰ８よりも前記第九カラーパッチＰ９の彩度ＣＰ９が高く、
前記第七カラーパッチＰ７と前記第八カラーパッチＰ８の彩度差の絶対値が前記第八カラーパッチＰ８と前記第九カラーパッチＰ９の彩度差の絶対値よりも小さい。
【００２７】
図３に示す例では、Ｌａｂ表色系における第七カラーパッチＰ７と第八カラーパッチＰ８の彩度差の絶対値がΔＣ８７（ΔＣ８７＞０）であり、Ｌａｂ表色系における第八カラーパッチＰ８と第九カラーパッチＰ９の彩度差の絶対値がΔＣ９８（ΔＣ９８＞０）であり、ΔＣ８７＜ΔＣ９８である。これにより、カラーパッチ間の彩度差をＬａｂ表色系の彩度Ｃ*よりも知覚的に均等にすることが可能となる。知覚されるカラーパッチ間の彩度差が略一定になると、目的の彩度と最も近い彩度のカラーパッチを見つける時間が短くなる。また、カラーチャートＣＨ１に示されるカラーパッチの数が限られていても、Ｌａｂ色空間においてカラーパッチ間の彩度の違いが比較的小さく知覚される領域で知覚的な彩度差が小さくならないので、本態様は、全カラーパッチで提示することができる彩度のカバー領域を大きくすることができる。従って、本態様は、カラーパッチ数又はカラーチャート面積が限られる中で効率的にカラーパッチが配置された色選択用カラーチャートを提供することができる。
尚、パッチＰ１〜Ｐ９を図１〜３で示した位置のパッチに当てはめるのは例示に過ぎず、パッチＰ１〜Ｐ９を様々な位置のパッチに当てはめることができる。
【００２８】
［態様５］
図９等に例示するように、順に配置された第一カラーパッチＰ１、第二カラーパッチＰ２、及び、第三カラーパッチＰ３を含む複数のカラーパッチＰＡ１の中から指定色に最も近い色のカラーパッチを選択するための色選択用カラーチャートＣＨ１を生成する色選択用カラーチャート生成方法は、上記条件（ａ），（ｂ）の少なくとも一方を満たすように色選択用カラーチャートＣＨ１を生成する。この態様は、カラーパッチ数又はカラーチャート面積が限られる中で効率的にカラーパッチが配置された色選択用カラーチャートの生成方法を提供することができる。
【００２９】
［態様６］
前記第一尺度の明度は、ＣＩＥ Ｌ*ａ*ｂ*表色系よりも知覚的に均等な色空間の明度でもよい。前記第二尺度の彩度は、ＣＩＥ Ｌ*ａ*ｂ*表色系よりも知覚的に均等な色空間の彩度でもよい。本態様は、カラーパッチ数又はカラーチャート面積が限られる中でさらに効率的にカラーパッチが配置された色選択用カラーチャートの生成方法を提供することができる。
ここで、ＣＩＥ Ｌ*ａ*ｂ*表色系よりも知覚的に均等な色空間は、ＣＩＥＤＥ２０００に基づく改良均等色空間、ＣＭＣに基づく改良均等色空間、ＣＩＥＤＥ９４に基づく改良均等色空間、等を含む。
【００３０】
［態様７］
図９等に例示するように、本色選択用カラーチャートＣＨ１の生成方法は、前記第一尺度における明度差の絶対値の入力を受け付け、前記第一尺度における前記第一カラーパッチＰ１と前記第二カラーパッチＰ２の明度差の絶対値、及び、前記第一尺度における前記第二カラーパッチＰ２と前記第三カラーパッチＰ３の明度差の絶対値が前記受け付けた明度差の絶対値となるように前記複数のカラーパッチＰＡ１を形成してもよい。この態様は、第一尺度における第一カラーパッチＰ１と第二カラーパッチＰ２の明度差の絶対値、及び、第一尺度における第二カラーパッチＰ２と第三カラーパッチＰ３の明度差の絶対値を調整することができるので、カラーパッチ数又はカラーチャート面積が限られる中でさらに効率的にカラーパッチが配置された色選択用カラーチャートの生成方法を提供することができる。
【００３１】
［態様８］
図９等に例示するように、本色選択用カラーチャートＣＨ１の生成方法は、前記第二尺度における彩度差の絶対値の入力を受け付け、前記第二尺度における前記第一カラーパッチＰ１と前記第二カラーパッチＰ２の彩度差の絶対値、及び、前記第二尺度における前記第二カラーパッチＰ２と前記第三カラーパッチＰ３の彩度差の絶対値が前記受け付けた彩度差の絶対値となるように前記複数のカラーパッチＰＡ１を形成してもよい。この態様は、第二尺度における第一カラーパッチＰ１と第二カラーパッチＰ２の彩度差の絶対値、及び、第二尺度における第二カラーパッチＰ２と第三カラーパッチＰ３の彩度差の絶対値を調整することができるので、カラーパッチ数又はカラーチャート面積が限られる中でさらに効率的にカラーパッチが配置された色選択用カラーチャートの生成方法を提供することができる。
【００３２】
［態様９］
さらに、上記条件（ａ），（ｂ）の少なくとも一方を満たすように色選択用カラーチャートＣＨ１を生成することにより、上記条件（ａ）を満たす場合に下記の条件（ｃ）を満たし上記条件（ｂ）を満たす場合に下記の条件（ｄ）を満たすように色選択用カラーチャートを生成する場合と比べて目標色のカラーパッチを見つけるまでの色選択用カラーチャートの生成回数と生成枚数の少なくとも一方を減らしてもよい。
（ｃ）ＣＩＥ Ｌ*ａ*ｂ*表色系における前記第一カラーパッチ（例えば図１０に示すパッチＰ９１）と前記第二カラーパッチ（例えば識別番号５２のパッチＰ９２）の明度差の絶対値と、ＣＩＥ Ｌ*ａ*ｂ*表色系における前記第二カラーパッチ（例えば識別番号５２のパッチＰ９２）と前記第三カラーパッチ（例えば識別番号４２のパッチＰ９３）の明度差の絶対値と、が等しい。
（ｄ）ＣＩＥ Ｌ*ａ*ｂ*表色系における前記第一カラーパッチ（例えばパッチＰ９１）と前記第二カラーパッチ（例えば識別番号６３のパッチＰ９２）の彩度差の絶対値と、ＣＩＥ Ｌ*ａ*ｂ*表色系における前記第二カラーパッチ（例えば識別番号６３のパッチＰ９２）と前記第三カラーパッチ（例えば識別番号６４のパッチＰ９３）の彩度差の絶対値と、が等しい。
【００３３】
［態様１０］
図８等に例示するように、順に配置された第一カラーパッチＰ１、第二カラーパッチＰ２、及び、第三カラーパッチＰ３を含む複数のカラーパッチＰＡ１の中から指定色に最も近い色のカラーパッチを選択するための色選択用カラーチャートＣＨ１を生成する機能をコンピューターに実現させる色選択用カラーチャート生成プログラムＰＲ１は、上記条件（ａ），（ｂ）の少なくとも一方を満たすように色選択用カラーチャートＣＨ１を生成する機能を実現させる。この態様は、カラーパッチ数又はカラーチャート面積が限られる中で効率的にカラーパッチが配置された色選択用カラーチャートの生成プログラムを提供することができる。
【００３４】
さらに、本技術は、色選択用カラーチャートを生成する装置、この装置を含む複合装置、これらの装置の制御方法、これらの装置の制御プログラム、色選択用カラーチャート生成プログラムや前記制御プログラムを記録したコンピューター読み取り可能な媒体、等に適用可能である。前述の装置は、分散した複数の部分で構成されてもよい。
【００３５】
（２）色選択用カラーチャートの具体例：
図１は、色選択用カラーチャートの例として、複数のカラーパッチＰＡ１の中から指定色に最も近い色のカラーパッチを選択するための色選択用カラーチャートＣＨ１の印刷物ＰＴ１を模式的に示している。パッチは、色票とも呼ばれる。図１に示す複数のカラーパッチＰＡ１は、被印刷物Ｍ１に対して、ＣＩＥＤＥ２０００色差式で表される色差ΔＥ00が均等となるように縦横に並べられている。ここで、ＣＩＥＤＥ２０００に基づく改良均等色空間はＬａｂ表色系よりも知覚的に均等な色空間の例であり、ＣＩＥＤＥ２０００に基づく改良均等色空間の明度差ΔＬ00１及び彩度差ΔＣ00１は色差ΔＥ00の例である。また、図５Ａに示すようにＣＩＥＤＥ２０００に基づく改良均等色空間の明度をＬ00と表し、図５Ｂに示すようにＣＩＥＤＥ２０００に基づく改良均等色空間の彩度をＣ00と表す。
【００３６】
図１に示す各パッチＰＡ１には、便宜上、識別番号１１〜７７を付している。被印刷物Ｍ１に形成された色選択用カラーチャートＣＨ１には、中心（識別番号４４）のパッチＰＡ１ａの色から色を徐々に変化させた複数のパッチＰＡ１が配置されている。図１に示す各パッチＰＡ１は、同一色相において、明度と彩度を変化させている。図１に示す例では、下から上に向かって改良均等色空間の明度Ｌ00が明度差ΔＬ00１（ΔＬ00１＞０）ずつ増えるようにパッチＰＡ１が並べられ、左から右に向かって改良均等色空間の彩度Ｃ00が彩度差ΔＣ00１（ΔＣ00１＝ΔＬ00１）ずつ増えるようにパッチＰＡ１が並べられている。すなわち、縦方向においてパッチＰＡ１は明度差ΔＬ00１の間隔で配置され、横方向においてパッチＰＡ１は彩度差ΔＣ00１の間隔で配置されている。
【００３７】
以上より、色選択用カラーチャートＣＨ１は、縦方向へ連続した３つのパッチＰＡ１を順に第一カラーパッチＰ１、第二カラーパッチＰ２、第三カラーパッチＰ３とすると、上述した条件（ａ）を満たす。一例を挙げると、識別番号７２のパッチＰＡ１を第一カラーパッチＰ１に当てはめると、識別番号６２のパッチＰＡ１が第二カラーパッチＰ２に当てはまり、識別番号５２のパッチＰＡ１が第三カラーパッチＰ３に当てはまる。改良均等色空間の明度Ｌ00（第一尺度の例）における第一カラーパッチＰ１と第二カラーパッチＰ２の明度差の絶対値と、改良均等色空間の明度Ｌ00における第二カラーパッチＰ２と第三カラーパッチＰ３の明度差の絶対値と、は、いずれもΔＬ00１と同じである。
【００３８】
また、色選択用カラーチャートＣＨ１は、横方向へ連続した３つのパッチＰＡ１を順に第一カラーパッチＰ１、第二カラーパッチＰ２、第三カラーパッチＰ３とすると、上述した条件（ｂ）を満たす。一例を挙げると、識別番号７３のパッチＰＡ１を第一カラーパッチＰ１に当てはめると、識別番号７４のパッチＰＡ１が第二カラーパッチＰ２に当てはまり、識別番号７５のパッチＰＡ１が第三カラーパッチＰ３に当てはまる。改良均等色空間の彩度Ｃ00（第二尺度の例）における第一カラーパッチＰ１と第二カラーパッチＰ２の彩度差の絶対値と、改良均等色空間の彩度Ｃ00における第二カラーパッチＰ２と第三カラーパッチＰ３の彩度差の絶対値と、は、いずれもΔＣ00１と同じである。
以上より、Ｌａｂ色空間の色差ΔＥの間隔でカラーパッチを並べる場合と比べて、より少ないパッチ数で、より広い色領域をカバーでき、目的の色を見つけるまでの色選択用カラーチャートの印刷回数を減らすことができる。
【００３９】
図２Ａは、明度に関する上記条件（ａ）とともに上述した態様２の思想が表れた複数のカラーパッチＰＡ１の並びを有する印刷物ＰＴ１の要部を模式的に示している。図２Ａに示す色選択用カラーチャートＣＨ１は、Ｌａｂ表色系の明度Ｌ*が５０程度以下の低明度側の領域において知覚的に明度間隔が均等となるようにパッチＰＡ１が並べられている。図２Ａに示す４つのパッチＰＡ１は、順に、例えば、図１に示す識別番号７２，６２，５２，４２のパッチに対応する。図２Ａに示す例では、下から上に向かって改良均等色空間の明度Ｌ00が明度差ΔＬ00１ずつ増えるようにパッチＰＡ１が並べられている。すなわち、縦方向においてパッチＰＡ１が明度差ΔＬ00１の間隔で配置されている。カラーパッチＰ１，Ｐ２，Ｐ３のＬａｂ表色系における明度Ｌ*を順にＬＰ１，ＬＰ２，ＬＰ３で表すと、ＬＰ１＜ＬＰ２＜ＬＰ３である。明度ＬＰ１は、０以上であり、５０未満が好ましいものの５０未満に限定されない。明度ＬＰ３は、０よりも大きく、５０以下が好ましいものの５０以下に限定されない。
図２Ａに示すカラーチャートＣＨ１の特徴は、カラーパッチＰ１，Ｐ２の明度差の絶対値ΔＬ２１がカラーパッチＰ２，Ｐ３の明度差の絶対値ΔＬ３２よりも大きいことである。
【００４０】
図２Ｂは、明度に関する上記条件（ａ）とともに上述した態様３の思想が表れた複数のカラーパッチＰＡ１の並びを有する印刷物ＰＴ１の要部を模式的に示している。図２Ｂに示す色選択用カラーチャートＣＨ１は、Ｌａｂ表色系の明度Ｌ*が５０程度以上の高明度側の領域において知覚的に明度間隔が均等となるようにパッチＰＡ１が並べられている。図２Ｂに示す例では、下から上に向かって改良均等色空間の明度Ｌ00が明度差ΔＬ00１ずつ増えるようにパッチＰＡ１が並べられている。すなわち、縦方向においてパッチＰＡ１が明度差ΔＬ00１の間隔で配置されている。カラーパッチＰ４，Ｐ５，Ｐ６のＬａｂ表色系における明度Ｌ*を順にＬＰ４，ＬＰ５，ＬＰ６で表すと、ＬＰ３＜ＬＰ４＜ＬＰ５＜ＬＰ６である。明度ＬＰ６は、５０よりも大きい方が好ましいものの５０よりも大きいことに限定されない。明度ＬＰ４は、５０以上が好ましいものの５０以上に限定されない。
図２Ｂに示すカラーチャートＣＨ１の特徴は、カラーパッチＰ４，Ｐ５の明度差の絶対値ΔＬ５４がカラーパッチＰ５，Ｐ６の明度差の絶対値ΔＬ６５よりも小さいことである。
【００４１】
図３は、彩度に関する上記条件（ｂ）とともに上述した態様４の思想が表れた複数のカラーパッチＰＡ１の並びを有する印刷物ＰＴ１の要部を模式的に示している。図３に示す色選択用カラーチャートＣＨ１は、知覚的に彩度間隔が均等となるようにパッチＰＡ１が並べられている。図３に示す例では、左から右に向かって改良均等色空間の彩度Ｃ00が彩度差ΔＣ00１ずつ増えるようにパッチＰＡ１が並べられている。すなわち、横方向においてパッチＰＡ１が彩度差ΔＬ00１の間隔で配置されている。カラーパッチＰ７，Ｐ８，Ｐ９のＬａｂ表色系における彩度Ｃ*を順にＬＰ７，ＬＰ８，ＬＰ９で表すと、ＬＰ７＜ＬＰ８＜ＬＰ９である。
図３に示すカラーチャートＣＨ１の特徴は、カラーパッチＰ７，Ｐ８の彩度差の絶対値ΔＣ８７がカラーパッチＰ８，Ｐ９の彩度差の絶対値ΔＣ９８よりも小さいことである。
【００４２】
尚、カラーパッチＰ７を態様１の第一カラーパッチＰ１に当てはめ、カラーパッチＰ８を態様１の第二カラーパッチＰ２に当てはめ、カラーパッチＰ９を態様１の第三カラーパッチＰ３に当てはめると、彩度に関する上記条件（ｂ）が満たされる。
【００４３】
（３）改良均等色空間の導き方、及び、色選択用カラーチャート生成方法の例：
次に、ＣＩＥＤＥ２０００に基づく改良均等色空間の導き方を説明する。
Ｌａｂ色空間の座標値をL*，a*，b*で表すと、Ｌａｂ色空間の彩度c*は、
c*＝｛（a*）2＋（b*）2｝1/2
である。改良均等色空間の座標値 Luniform, Auniform, Buniformは、以下のように算出することができる。
【数１】
2017150163.tif 000003
【数２】
2017150163.tif 000004
【数３】
2017150163.tif 000005
【００４４】
ただし、改良均等色空間の彩度Cuniform、及び、色相Hは、以下の式で表すことができる。
【数４】
2017150163.tif 000006
【数５】
2017150163.tif 000007
ここで、atan2は色座標（a*，b*）のアークタンジェントを返す関数であり、modは数値を除数で割ったときの剰余を返す関数である。
【００４５】
関数fL，fCは、以下の手順で決定することができる。
まず、ＣＩＥＤＥ２０００色差式による色差ΔＥ00は、以下の式で表される。
【数６】
2017150163.tif 000008
明度に対する重み係数SL、及び、彩度に対する重み係数SCは、以下の式で表される。
【数７】
2017150163.tif 000009
【数８】
2017150163.tif 000010
図４Ａに式（７）によるL’−SL曲線を示し、図４Ｂに式（８）によるC’−SC曲線を示す。
【００４６】
SLはΔL’に対する色差計算の際の重み係数となり、SCはΔC’に対する色差計算の際の重み係数となる。重み付け係数SLは、L’が50から離れるに従ってΔL’が小さくなるように設計されている。重み付け係数SCは、C’が大きくなるに従ってΔC’が小さくなるように設計されている。
【００４７】
以上より、明度Luniform、及び、彩度Cuniformは、以下のように表すことができる。
【数９】
2017150163.tif 000011
【数１０】
2017150163.tif 000012
ここで、Ｌａｂ色空間の座標値から改良均等色空間の座標値への変換関数をfuniformと表し、その逆変換関数をf-1 uniformと表す。逆変換関数f-1 uniformは、式を求めることができないため、多項式近似で関数を作成すればよい。むろん、変換関数funiformも、多項式近似で関数を作成してもよい。
【００４８】
図５Ａは、Ｌａｂ色空間の明度Ｌ*と改良均等色空間の明度Ｌ00との対応関係を表すＬ*−Ｌ00特性を示している。このＬ*−Ｌ00特性は、Ｌ*＝５０で最も傾きが急となり、Ｌ*＝０及びＬ*＝１００で最も傾きが緩やかとなるＳ字カーブ状の特性を示している。
また、図５Ｂは、Ｌａｂ色空間の彩度Ｃ*と改良均等色空間の彩度Ｃ00との対応関係を表すＣ*−Ｃ00特性を示している。このＣ*−Ｃ00特性は、彩度Ｃ*が大きくなるほど傾きが緩やかになる特性を示している。
【００４９】
次に、改良均等色空間を用いた色選択用カラーチャート生成方法を以下の工程１〜５に従って説明する。尚、印刷装置は、Ｃ（シアン）、Ｍ（マゼンタ）、Ｙ（イエロー）、及び、Ｋ（ブラック）の色材（例えばインク）を使用して印刷を行うプリンターであるとする。また、ＣＭＹＫ（Ｃ、Ｍ、Ｙ、及び、Ｋ）の使用量を表す原稿データに基づいてプリンターに印刷させると仮定し、この原稿データが印刷ターゲット（Japan Color）を想定して作成されているものとする。色の変換は、ICC Profileを用いることにする。
【００５０】
（工程１）まず、対象となる原稿の色を表す原稿データ（Corg，Morg，Yorg，Korg）に基づいて、プリンターで出力される色のＬａｂ色空間の座標値（Lp，ap，bp）を以下の式に従って求める。
【数１１】
2017150163.tif 000013
ここで、関数fICCは、ICCプロファイルを参照して色変換を行う関数であり、３つの引数の意味は以下の通りである。
第一引数は、プロファイル名を表す。
第二引数は、色変換方向を表す。第二引数が「A2B」である場合、デバイスカラーであるＣＭＹＫ値からデバイス非依存からであるＬａｂ値に変換することを意味する。第二引数が「B2A」である場合、デバイス非依存カラーであるＬａｂ値からデバイスカラーであるＣＭＹＫ値に変換することを意味する。
第三引数は、入力カラー値を表す。
【００５１】
（工程２）次に、プリンターの出力色の座標値（Lp，ap，bp）に基づいて、改良均等色空間の色彩値（Lp-uniform，ap-uniform，bp-uniform）を以下の式に従って求める。
【数１２】
2017150163.tif 000014
ここで、色選択用カラーチャートＣＨ１の基準色が色彩値（Lp-uniform，ap-uniform，bp-uniform）であるとする。
【００５２】
（工程３）カラーチャートＣＨ１の基準色（Lp-uniform，ap-uniform，bp-uniform）を中心として、明度Luniformを基準明度Lp-uniformから±NL（NLは１以上の整数）ステップ増減させ、色座標auniformを基準色座標ap-uniformから±Na（Naは１以上の整数）ステップ増減させ、色座標buniformを基準色座標bp-uniformから±Nb（Nbは１以上の整数）ステップ増減させることとする。また、明度Luniformの方向において隣り合うカラーパッチ間の明度差（色差）をΔＬ00１とし、色座標auniformの方向において隣り合うカラーパッチ間の色差をΔａ00１（図１等に示す色差ΔＣ00１の例）とし、色座標buniformの方向において隣り合うカラーパッチ間の色差をΔｂ00１（図１等に示す色差ΔＣ00１の例）とし、ΔＬ00１＝Δａ00１＝Δｂ00１とする。カラーパッチＰＡ１の総数は、（2NL＋1）（2Na＋1）（2Nb＋1）となる。
【００５３】
（工程４）各カラーパッチＰＡ１の均等色空間の色彩値（Luniform，Auniform，Buniform）からデバイスカラーを表す原稿データ（Cp，Mp，Yp，Kp）への変換を以下の式に従って行う。
【数１３】
2017150163.tif 000015
【００５４】
（工程５）原稿データ（Cp，Mp，Yp，Kp）に基づいて、図１等に示すような色選択用カラーチャートＣＨ１をプリンターに印刷させる。これにより、総数（2NL＋1）（2Na＋1）（2Nb＋1）のカラーパッチＰＡ１を有するカラーチャートＣＨ１が被印刷物Ｍ１に形成される。
【００５５】
図６は、上述した色選択用カラーチャート生成方法で生成される各カラーパッチＰＡ１について、Ｌａｂ表色系の座標Ｃ*，Ｌ*の例、及び、ＣＩＥＤＥ２０００による改良均等色空間の座標Ｃ00，Ｌ00の例を模式的に示している。図６の下側に示すように、各カラーパッチＰＡ１は、明度Ｌ00方向においては明度差ΔＬ00１の間隔で均等に配置され、彩度Ｃ00方向においては彩度差ΔＣ00１の間隔で均等に配置されている。図６の上側に示すように、Ｌａｂ色空間におけるカラーパッチ間の間隔は、明度Ｌ*方向と彩度Ｃ*方向の両方とも不均等となる。
【００５６】
図５Ａで示したように、Ｌ*−Ｌ00特性は、Ｌ*＝５０で最も傾きが急となり、Ｌ*＝５０からＬ*＝０に向かうにつれて徐々に傾きが緩やかとなり、Ｌ*＝５０からＬ*＝１００に向かうにつれて徐々に傾きが緩やかとなる。このことは、改良均等色空間において明度差ΔＬ00１の間隔で各パッチＰＡ１を配置すると、Ｌａｂ色空間における明度差ΔＬがＬ*＝５０で最も小さくなり、Ｌ*＝５０からＬ*＝０に向かうにつれて明度差ΔＬが徐々に大きくなり、Ｌ*＝５０からＬ*＝１００に向かうにつれて明度差ΔＬが徐々に大きくなることを意味する。図４Ａで示した重み付け係数SLはΔL’に対する色差計算に用いられるので、重み付け係数SLが大きくなるほどＬａｂ色空間における明度差ΔＬが小さくなる。
【００５７】
以上の説明を基に、Ｌａｂ色空間において明度Ｌ*に対して知覚的に均等な明度差ΔＬがどのような関係にあるのかを求めて図７Ａにおいて模式的に示している。知覚的に均等な明度差ΔＬは、Ｌ*＝５０で最も小さくなる。このときの明度差をΔＬminと示している。また、図７Ａには、図２Ａ，２Ｂで示したカラーパッチＰ１〜Ｐ６の明度がどのような関係にあるのかも例示している。図７Ａからも、Ｌａｂ表色系におけるパッチＰ１，Ｐ２の明度差の絶対値ΔＬ２１がＬａｂ表色系におけるパッチＰ２，Ｐ３の明度差の絶対値ΔＬ３２が大きくなり、Ｌａｂ表色系におけるＰ４，Ｐ５の明度差の絶対値ΔＬ５４がＬａｂ表色系におけるパッチＰ５，Ｐ６の明度差の絶対値ΔＬ６５よりも小さくなることが判る。
【００５８】
また、図５Ｂで示したように、Ｃ*−Ｃ00特性は、彩度Ｃ*が大きくなるほど徐々に傾きが緩やかとなる。このことは、改良均等色空間において彩度差ΔＣ00１の間隔で各パッチＰＡ１を配置すると、彩度Ｃ*が大きくなるほどＬａｂ色空間における彩度差ΔＣが徐々に大きくなることを意味する。図４Ｂで示した重み付け係数SCはΔC’に対する色差計算に用いられるので、重み付け係数SCが大きくなるほどＬａｂ色空間における彩度差ΔＣが小さくなる。
【００５９】
以上の説明を基に、Ｌａｂ色空間において彩度Ｃ*に対して知覚的に均等な彩度差ΔＣがどのような関係にあるのかを求めて図７Ｂにおいて模式的に示している。知覚的に均等な彩度差ΔＣは、Ｃ*＝０で最も小さくなる。このときの彩度差をΔＣminと示している。また、図７Ｂには、図３で示したカラーパッチＰ７〜Ｐ９の彩度がどのような関係にあるのかも例示している。図７Ｂからも、Ｌａｂ表色系におけるパッチＰ７，Ｐ８の彩度差の絶対値ΔＣ８７がＬａｂ表色系におけるパッチＰ８，Ｐ９の彩度差の絶対値ΔＣ９８よりも小さくなることが判る。
【００６０】
（４）色調整装置の具体例：
図８は、色選択用カラーチャート生成方法を実施する色調整装置の構成例を模式的に示している。図８に示す色調整装置１００は、ＣＰＵ（Central Processing Unit）１１１、ＲＯＭ（Read Only Memory）１１２、ＲＡＭ（Random Access Memory）１１３、記憶装置１１４、表示装置１１５、入力装置１１６、通信Ｉ／Ｆ（インターフェイス）１１８、等が接続されて互いに情報を入出力可能とされている。記憶装置１１４は、色調整プログラムＰＲ０、プロファイルＰＦ１、色変換ＬＵＴ（ルックアップテーブル）８００、等を記憶している。記憶装置１１４には、フラッシュメモリー等の不揮発性半導体メモリー、ハードディスク等の磁気記憶装置、等を用いることができる。表示装置１１５には、液晶表示パネル等を用いることができる。入力装置１１６には、表示パネルの表面に貼り付けられたタッチパネル、キーボードを含むハードキー、ポインティングデバイス、等を用いることができる。通信Ｉ／Ｆ１１８は、印刷装置２００の通信Ｉ／Ｆ２１０に接続され、印刷装置２００に対して情報を入出力する。通信Ｉ／Ｆ１１８，２１０の規格には、ＵＳＢ（Universal Serial Bus）、近距離無線通信規格、等を用いることができる。通信Ｉ／Ｆ１１８，２１０の通信は、有線でもよいし、無線でもよく、ＬＡＮ（Local Area Network）やインターネット等といったネットワーク通信でもよい。
【００６１】
色調整装置１００には、パーソナルコンピューター（タブレット型端末を含む。）といったコンピューター等が含まれる。色調整装置１００は、一つの筐体内に全構成要素１１１〜１１８を有してもよいが、互いに通信可能に分割された複数の装置で構成されてもよい。また、印刷装置が色調整装置１００にあっても本技術を実施可能であり、印刷機能を有するプリンター自体が本技術の色調整処理を行ってもよい。
印刷装置２００は、色調整装置１００が生成した出力画像に基づく印刷用データを入手し、該印刷用データに基づいて前記出力画像に対応する印刷画像を被印刷物に形成する。印刷装置２００には、インクジェットプリンター、レーザープリンターといった電子写真方式のプリンター、等が含まれ、複写機、ファクシミリ、これらの機能を備えた複合機、等も含まれる。
【００６２】
図８に示す色調整プログラムＰＲ０は、条件設定機能ＦＵ１、カラーチャート生成機能ＦＵ２、及び、色選択機能ＦＵ３を色調整装置１００に実現させる。本具体例の色選択用カラーチャート生成プログラムＰＲ１は、カラーチャート生成機能ＦＵ２を色調整装置１００に実現させる。
【００６３】
プロファイルＰＦ１は、入力色と出力色との対応関係を定義したカラー属性ファイルである。印刷装置のためのプロファイルは、例えば、印刷装置の機種、被印刷物の種類、観察光源、等の使用条件に応じて色の対応関係が変わるため、印刷装置の機種毎、被印刷物の種類毎、観察光源毎、等の使用条件毎に用意される。また、色材のロット、印刷装置の使用期間、等に応じても色の対応関係が変わることがあるため、これらの使用条件に応じてプロファイルを生成してもよい。印刷装置がＣＭＹＫの色材を使用する場合、例えば、入力色としてＬａｂ色空間の色彩値（Ｌ*値、ａ*値、及び、ｂ*値）が定義され、出力色としてＣＭＹＫの色材の使用量を表す値（Ｃ値、Ｍ値、Ｙ値、及び、Ｋ値）が定義される。
色変換ＬＵＴ８００は、例えば、ＲＧＢ（赤、緑、及び、青）の入力色を表す値とＣＭＹＫの色材の使用量を表す値との対応関係が規定される。色選択用カラーチャートＣＨ１を印刷して色合わせを行うため、カラーパッチＰＡ１の選択結果に応じた色変換ＬＵＴ８００を生成することができるようにしている。
【００６４】
（５）色調整処理の具体例：
図９は、図８に示す色調整装置１００で行われる色調整処理の例を示している。ここで、ステップＳ１１０は条件設定機能ＦＵ１に対応する例であり、ステップＳ１２０はカラーチャート生成機能ＦＵ２に対応する例であり、ステップＳ１４０は色選択機能ＦＵ３に対応する例である。以下、「ステップ」の記載を省略する。
【００６５】
処理が開始されると、色調整装置１００は、各種の条件を設定する条件設定処理を行う（Ｓ１１０）。この条件設定処理は、基準色（Lp-uniform，ap-uniform，bp-uniform）の入力を受け付ける処理（Ｓ１１２）、改良均等色空間に基づく知覚的に均等な明度間隔ΔＬ00１の入力を受け付ける処理（Ｓ１１４）、改良均等色空間に基づく知覚的に均等な彩度間隔ΔＣ00１の入力を受け付ける処理（Ｓ１１６）、等を含む。条件の入力を受け付ける処理は、例えば、ユーザーが入力装置１１６を操作したときに該操作を受け付ける処理とすることができる。明度間隔ΔＬ00１と彩度間隔ΔＣ00１を同じ色差ΔＥ00にする場合、Ｓ１１４，Ｓ１１６の処理をまとめてもよい。尚、Ｓ１１４の処理は第一尺度における明度差の絶対値の入力を受け付ける処理の例であり、Ｓ１１６の処理は第二尺度における彩度差の絶対値の入力を受け付ける処理の例である。
【００６６】
条件設定処理後、色調整装置１００は、入力された条件、例えば、基準色（Lp-uniform，ap-uniform，bp-uniform）、明度間隔ΔＬ00１、及び、彩度間隔ΔＣ00１に基づいて、図１で示したような色選択用カラーチャートＣＨ１を印刷装置２００に印刷させる（Ｓ１２０）。各カラーパッチＰＡ１の色は、例えば、明度Luniformを基準明度Lp-uniformから明度間隔ΔＬ00１で±NLステップ増減させ、色座標auniformを基準色座標ap-uniformから間隔Δａ00１＝ΔＣ00１で±Naステップ増減させ、色座標buniformを基準色座標bp-uniformから間隔Δｂ00１＝ΔＣ00１で±Nbステップ増減させることとする。色差ΔＥ00を一定にする点から、好ましくはΔＬ00１＝ΔＣ00１である。色調整装置１００は、上記式（１３）に従って、各カラーパッチＰＡ１の均等色空間の色彩値（Luniform，auniform，buniform）を原稿データ（Cp，Mp，Yp，Kp）に変換する。そして、この原稿データ（Cp，Mp，Yp，Kp）に基づいて印刷装置２００にカラーチャートＣＨ１を印刷させると、総数（2NL＋1）（2Na＋1）（2Nb＋1）のカラーパッチＰＡ１を有するカラーチャートＣＨ１が被印刷物Ｍ１に形成される。
【００６７】
以上より、順に明度を変えたパッチの並びにおいて改良均等色空間（第一尺度）におけるパッチＰ１，Ｐ２の明度差の絶対値、及び、改良均等色空間（第一尺度）におけるパッチＰ２，Ｐ３の明度差の絶対値がＳ１１４で受け付けた明度差の絶対値ΔＬ00１となるように複数のパッチＰＡ１が形成される。また、順に彩度を変えたパッチの並びにおいて改良均等色空間（第二尺度）におけるパッチＰ１，Ｐ２の彩度差の絶対値、及び、改良均等色空間（第二尺度）におけるパッチＰ２，Ｐ３の彩度差の絶対値がＳ１１６で受け付けた彩度差の絶対値ΔＣ00１となるように複数のパッチＰＡ１が形成される。
【００６８】
カラーチャート印刷後、色調整装置１００は、条件を変更してカラーチャートＣＨ１を再印刷するか否かに応じて処理を分岐させる（Ｓ１３０）。この分岐処理は、例えば、表示装置１１５に再印刷ボタン及び色選択ボタンを表示してボタンの操作に応じて処理を分岐する処理とすることができる。この場合、色調整装置１００は、再印刷ボタンの操作を入力装置１１６において受け付けると処理をＳ１１０に戻し、色選択ボタンの操作を入力装置１１６において受け付けると処理をＳ１４０に進める。処理がＳ１１０に戻ると、再び、条件設定が行われ、新たな条件に基づいてカラーチャートＣＨ１の印刷が行われ、このカラーチャートＣＨ１に含まれる複数のカラーパッチＰＡ１の中からカラーパッチが選択される。
【００６９】
再印刷が行われない場合、色調整装置１００は、カラーチャートＣＨ１に含まれる複数のカラーパッチＰＡ１の中から指定色に最も近い色のカラーパッチの選択を受け付け（Ｓ１４０）、色調整処理を終了させる。Ｓ１４０の処理は、例えば、各パッチＰＡ１に対応付けられた識別番号の操作入力を入力装置１１６において受け付ける処理、各パッチＰＡ１に対応する表示パッチを表示装置１１５に表示して複数の表示パッチの中から一つの表示パッチを選択する操作を入力装置１１６において受け付ける処理、等とすることができる。
【００７０】
カラーパッチの選択を受け付けると、色調整装置１００は、選択されたカラーパッチの情報に基づいて色変換ＬＵＴ８００を生成してもよい。この処理は、例えば、色変換ＬＵＴ８００の元となる元色変換ＬＵＴの一部を修正して色変換ＬＵＴ８００にする処理とすることができる。ここで、選択されたカラーパッチのＬａｂ色空間の色彩値が（Luniform，auniform，buniform）であり、基準色のＬａｂ色空間の色彩値が（Lp-uniform，ap-uniform，bp-uniform）であるとする。この場合、例えば、基準色の色彩値（Lp-uniform，ap-uniform，bp-uniform）を選択カラーパッチの色彩値（Luniform，auniform，buniform）に置き換えるか、または選択カラーパッチの色彩値（Luniform，auniform，buniform）に近付けるように、元色変換ＬＵＴを修正することにより色変換ＬＵＴ８００を生成することができる。
得られる色変換ＬＵＴ８００を参照することにより、被印刷物に形成される印刷画像の色再現精度が向上する。
【００７１】
（６）具体例の作用、及び、効果：
生成される色選択用カラーチャートＣＨ１は、例えば図１に示すように、カラーパッチ間でＬａｂ表色系よりも知覚的に均等な尺度における色差の絶対値が等しくなるように複数のカラーパッチＰＡ１が形成されている。例えば、低明度側の領域では、図２Ａに示すように、Ｌａｂ表色系におけるパッチＰ１，Ｐ２の明度差の絶対値ΔＬ２１をＬａｂ表色系におけるパッチＰ２，Ｐ３の明度差の絶対値ΔＬ３２よりも大きくしている。これにより、低明度側の領域で各パッチＰＡ１が改良均等色空間における明度差ΔＬ00１の間隔となるように配置される。また、高明度側の領域では、図２Ｂに示すように、Ｌａｂ表色系におけるＰ４，Ｐ５の明度差の絶対値ΔＬ５４をＬａｂ表色系におけるパッチＰ５，Ｐ６の明度差の絶対値ΔＬ６５よりも小さくしている。これにより、高明度側の領域で各パッチＰＡ１が改良均等色空間における明度差ΔＬ00１の間隔となるように配置される。さらに、図３に示すように、Ｌａｂ表色系におけるパッチＰ７，Ｐ８の彩度差の絶対値ΔＣ８７をＬａｂ表色系におけるパッチＰ８，Ｐ９の彩度差の絶対値ΔＣ９８よりも小さくしている。これにより、パッチＰＡ１が改良均等色空間における彩度差ΔＣ00１の間隔となるように配置される。
【００７２】
以上より、図６の下側に例示するように知覚されるカラーパッチ間の色差がほぼ一定となり、ΔＬ00１＝ΔＣ00１とすることにより明度方向と彩度方向で知覚されるカラーパッチ間の色差がほぼ一定となる。このことから、パッチ間の色の違いが比較的小さく知覚される領域があることにより目的の色と最も近い色を見つけるのに時間がかかることが抑制される。また、カラーチャートＣＨ１に示されるカラーパッチＰＡ１の数が限られていても、Ｌａｂ色空間においてカラーパッチ間の色の違いが比較的小さく知覚される領域で知覚的な色差が小さくならないので、全カラーパッチで提示することができる色のカバー領域を大きくすることができる。これらのことから、Ｌａｂ色空間の色差ΔＥの間隔で均等に各カラーパッチを配置する場合と比べて目標色のカラーパッチを見つけるまでの色選択用カラーチャートの生成回数と生成枚数の少なくとも一方を減らすことができる。試験を行ったところ、生成する色選択用カラーチャートＣＨ１の枚数と回数がＬａｂ表色系に基づく場合と比べて約半分となり、省資源化を図ることができた。また、ユーザーの目標とする色の選択工数（時間）がＬａｂ表色系に基づく場合と比べて少なくなり、効率化を図ることができた。
従って、本具体例は、カラーパッチ数又はカラーチャート面積が限られる中で効率的にカラーパッチが配置された色選択用カラーチャート、その生成方法、及び、その生成プログラムを提供することができる。
【００７３】
（７）変形例：
本発明は、種々の変形例が考えられる。
例えば、改良均等色空間は、ＣＭＣに基づく改良均等色空間、ＣＩＥＤＥ９４に基づく改良均等色空間、等でもよい。
印刷装置は、ＣＭＹＫ以外の色の色材を使用してもよいし、ＣＭＹＫの一部の色材を使用しなくてもよい。印刷装置のためのプロファイルは、印刷装置で使用される色材の種類に応じた対応関係を規定しておけばよい。
色選択用カラーチャートが表示装置１１５に表示される場合、表示装置のためのプロファイルはＬａｂ色空間の色彩値とＲ（赤）、Ｇ（緑）、及び、Ｂ（青）の強さを表す値（Ｒ値、Ｇ値、及び、Ｂ値）との対応関係を規定しておけばよい。
また、上述した条件（ｂ）を満たさないで条件（ａ）を満たす場合も、本技術を適用可能である。さらに、上述した条件（ａ）を満たさないで条件（ｂ）を満たす場合も、本技術を適用可能である。
【００７４】
（８）結び：
以上説明したように、本発明によると、種々の態様により、効率的にカラーパッチが配置された色選択用カラーチャート等の技術を提供することができる。むろん、従属請求項に係る構成要件を有しておらず独立請求項に係る構成要件のみからなる技術等でも、上述した基本的な作用、効果が得られる。
また、上述した例の中で開示した各構成を相互に置換したり組み合わせを変更したりした構成、公知技術及び上述した例の中で開示した各構成を相互に置換したり組み合わせを変更したりした構成、等も実施可能である。本発明は、これらの構成等も含まれる。
【符号の説明】
【００７５】
１００…色調整装置、１１４…記憶装置、１１５…表示装置、１１６…入力装置、２００…印刷装置、ＣＨ１…カラーチャート、ＦＵ１…条件設定機能、ＦＵ２…カラーチャート生成機能、ＦＵ３…色選択機能、Ｍ１…被印刷物、Ｐ１…第一カラーパッチ、Ｐ２…第二カラーパッチ、Ｐ３…第三カラーパッチ、Ｐ４…第四カラーパッチ、Ｐ５…第五カラーパッチ、Ｐ６…第六カラーパッチ、Ｐ７…第七カラーパッチ、Ｐ８…第八カラーパッチ、Ｐ９…第九カラーパッチ、ＰＡ１…パッチ、ＰＡ１ａ…中心のパッチ、ＰＦ１…プロファイル、ＰＲ０…色調整プログラム、ＰＲ１…色選択用カラーチャート生成プログラム、ＰＴ１…印刷物。
【図１】
2017150163.tif 000016
【図２】
2017150163.tif 000017
【図３】
2017150163.tif 000018
【図４】
2017150163.tif 000019
【図５】
2017150163.tif 000020
【図６】
2017150163.tif 000021
【図７】
2017150163.tif 000022
【図８】
2017150163.tif 000023
【図９】
2017150163.tif 000024
【図１０】
2017150163.tif 000025
【図１１】
2017150163.tif 000026
【手続補正書】
【提出日】平成29年6月27日(2017.6.27)
【手続補正１】
【補正対象書類名】特許請求の範囲
【補正対象項目名】全文
【補正方法】変更
【補正の内容】
【特許請求の範囲】
【請求項１】
（削除）
【請求項２】
（削除）
【請求項３】
（削除）
【請求項４】
（削除）
【請求項５】
複数のカラーパッチの中から指定色に最も近い色のカラーパッチを選択するための色選択用カラーチャートを生成する色選択用カラーチャート生成方法であって、
前記複数のカラーパッチは、順に配置された第一カラーパッチ、第二カラーパッチ、及び、第三カラーパッチを含み、
ＣＩＥ（国際照明委員会）Ｌ＊ａ＊ｂ＊表色系の明度よりも知覚的に均等な第一尺度における明度差の絶対値の入力を受け付け、前記第一尺度における前記第一カラーパッチと前記第二カラーパッチの明度差の絶対値、及び、前記第一尺度における前記第二カラーパッチと前記第三カラーパッチの明度差の絶対値が前記受け付けた明度差の絶対値となるように前記複数のカラーパッチを形成する、色選択用カラーチャート生成方法。
【請求項６】
複数のカラーパッチの中から指定色に最も近い色のカラーパッチを選択するための色選択用カラーチャートを生成する色選択用カラーチャート生成方法であって、
前記複数のカラーパッチは、順に配置された第一カラーパッチ、第二カラーパッチ、及び、第三カラーパッチを含み、
ＣＩＥ（国際照明委員会）Ｌ＊ａ＊ｂ＊表色系の彩度よりも知覚的に均等な第二尺度における彩度差の絶対値の入力を受け付け、前記第二尺度における前記第一カラーパッチと前記第二カラーパッチの彩度差の絶対値、及び、前記第二尺度における前記第二カラーパッチと前記第三カラーパッチの彩度差の絶対値が前記受け付けた彩度差の絶対値となるように前記複数のカラーパッチを形成する、色選択用カラーチャート生成方法。
【請求項７】
前記第一尺度の明度は、ＣＩＥ  Ｌ＊ａ＊ｂ＊表色系よりも知覚的に均等な色空間の明度である、請求項１に記載の色選択用カラーチャート生成方法。
【請求項８】
前記第二尺度の彩度は、ＣＩＥ  Ｌ＊ａ＊ｂ＊表色系よりも知覚的に均等な色空間の彩度である、請求項２に記載の色選択用カラーチャート生成方法。
【請求項９】
（削除）
【請求項１０】
（削除）
【請求項１１】
請求項１に記載の色選択用カラーチャートを生成することにより、ＣＩＥ  Ｌ＊ａ＊ｂ＊表色系における前記第一カラーパッチと前記第二カラーパッチの明度差の絶対値と、ＣＩＥ  Ｌ＊ａ＊ｂ＊表色系における前記第二カラーパッチと前記第三カラーパッチの明度差の絶対値と、が等しい条件を満たすように色選択用カラーチャートを生成する場合と比べて目標色のカラーパッチを見つけるまでの色選択用カラーチャートの生成回数と生成枚数の少なくとも一方を減らすことを特徴とする、請求項１に記載の色選択用カラーチャート生成方法。
【請求項１２】
請求項２に記載の色選択用カラーチャートを生成することにより、ＣＩＥ  Ｌ＊ａ＊ｂ＊表色系における前記第一カラーパッチと前記第二カラーパッチの彩度差の絶対値と、ＣＩＥ  Ｌ＊ａ＊ｂ＊表色系における前記第二カラーパッチと前記第三カラーパッチの彩度差の絶対値と、が等しい条件を満たすように色選択用カラーチャートを生成する場合と比べて目標色のカラーパッチを見つけるまでの色選択用カラーチャートの生成回数と生成枚数の少なくとも一方を減らすことを特徴とする、請求項２に記載の色選択用カラーチャート生成方法。
【請求項１３】
複数のカラーパッチの中から指定色に最も近い色のカラーパッチを選択するための色選択用カラーチャートを生成する機能をコンピューターに実現させる色選択用カラーチャート生成プログラムであって、
前記複数のカラーパッチは、順に配置された第一カラーパッチ、第二カラーパッチ、及び、第三カラーパッチを含み、
ＣＩＥ（国際照明委員会）Ｌ＊ａ＊ｂ＊表色系の明度よりも知覚的に均等な第一尺度における明度差の絶対値の入力を受け付け、前記第一尺度における前記第一カラーパッチと前記第二カラーパッチの明度差の絶対値、及び、前記第一尺度における前記第二カラーパッチと前記第三カラーパッチの明度差の絶対値が前記受け付けた明度差の絶対値となるように前記複数のカラーパッチを形成するように、色選択用カラーチャートを生成する機能を実現させる色選択用カラーチャート生成プログラム。
【請求項１４】
複数のカラーパッチの中から指定色に最も近い色のカラーパッチを選択するための色選択用カラーチャートを生成する機能をコンピューターに実現させる色選択用カラーチャート生成プログラムであって、
前記複数のカラーパッチは、順に配置された第一カラーパッチ、第二カラーパッチ、及び、第三カラーパッチを含み、
ＣＩＥ（国際照明委員会）Ｌ＊ａ＊ｂ＊表色系の彩度よりも知覚的に均等な第二尺度における彩度差の絶対値の入力を受け付け、前記第二尺度における前記第一カラーパッチと前記第二カラーパッチの彩度差の絶対値、及び、前記第二尺度における前記第二カラーパッチと前記第三カラーパッチの彩度差の絶対値が前記受け付けた彩度差の絶対値となるように前記複数のカラーパッチを形成するように、色選択用カラーチャートを生成する機能を実現させる色選択用カラーチャート生成プログラム。
【国際調査報告】
2017150163.tif 000027
2017150163.tif 000028